(57)【特許請求の範囲】
【請求項１】
一方向に配列された複数の線状部材(６)と、
上記複数の線状部材(６)に取り付けられ、上記線状部材(６)同士の間隔を所定間隔に維持するスペーサ(９)と
を備え、
上記スペーサ(９)は、
上記線状部材(６)の一方側に配置されると共に、上記線状部材(６)の少なくとも一部と嵌合する凹部(９４，２９４)が所定間隔で形成された第１アーム部(９１，２９１)と、
上記線状部材(６)の他方側に配置されると共に、上記線状部材(６)の残りの部分が面する第２アーム部(９２，２９２)と
を有し、
上記第１アーム部(９１，２９１)の一端部に上記第２アーム部(９２，２９２)の一端部がヒンジ結合され、かつ、上記第１アーム部(９１，２９１)の他端部に上記第２アーム部(９２，２９２)の他端部が係止可能であることを特徴とするファンガード装置。
【請求項２】
請求項１に記載のファンガード装置において、
上記線状部材(６)は鋼線(６)であることを特徴とするファンガード装置。
【請求項３】
請求項１または２に記載のファンガード装置において、
上記第１アーム部(９１，２９１)は屈曲した形状を有し、かつ、上記第２アーム部(９２，２９２)は上記第１アーム部(９１，２９１)に沿って屈曲した形状を有することを特徴とするファンガード装置。
【請求項４】
ケーシング(２)と、
上記ケーシング(２)内に配置されたファン(１１)と、
上記ケーシング内(２)に、上記ファン(１１)に向かう空気が通過するように配置された熱交換器(１２)と、
上記ファン(１１)の下流側に配置された請求項１から３までのいずれか一項に記載のファンガード装置(５)と
を備えたことを特徴とする空気調和機。
【発明の詳細な説明】
【技術分野】
【０００１】
本発明は、例えば空気調和機の室内ユニット等に使用されるファンガード装置に関する。
【背景技術】
【０００２】
従来、空気調和機としては、図８に示すファンガード装置１０１を室内ユニットの吹出口に設置したものがある（特許文献１（特開平１１−８３０７０公報）参照）。
【０００３】
上記ファンガード装置１０１は、一方向に配列された複数の鋼線１０２，１０２，…と、この複数の鋼線１０２，１０２，…を支持する支持部材１０３と、鋼線１０２同士の間隔を所定間隔に維持するスペーサ１０４とを有している。
【０００４】
上記スペーサ１０４の一方側には所定間隔で複数の凹部１０５，１０５，…が設けられている。この各凹部１０５に鋼線１０２を嵌合させるだけで、複数の鋼線１０２，１０２，…に対してスペーサ１０４を容易に取り付けることができる。
【０００５】
しかしながら、上記ファンガード装置１０１では、スペーサ１０４の各凹部１０５に鋼線１０２を嵌合させているだけだから、スペーサ１０４は、鋼線１０２から離れる方向に引っ張られると、鋼線１０２から容易に外れてしまう。
【０００６】
また、上記スペーサ１０４を鋼線１０２から離れる方向に引っ張らなくても、スペーサ１０４の各凹部１０５に鋼線１０２を嵌合させているだけでは、鋼線１０２に対するスペーサ１０４の固定力が小さいため、例えば振動によって、鋼線１０２からスペーサ１０４が抜け落ちる恐れがある。
【０００７】
このように、上記ファンガード装置１０１には、鋼線１０２からスペーサ１０４が抜け落ち易いという問題があった。
【０００８】
なお、上記鋼線１０２，１０２，…からスペーサ１０４が抜け落ちると、鋼線１０２同士の間隔が広がり、この広がった所から室内ユニット内に手を入れることが可能となって、使用者にとって危険である。
【特許文献１】特開平１１−８３０７０公報（図１）
【発明の開示】
【発明が解決しようとする課題】
【０００９】
そこで、本発明の課題は、線状部材からスペーサが抜け落ちるのを防ぐことができるファンガード装置およびそれを備えた空気調和機を提供することにある。
【課題を解決するための手段】
【００１０】
上記課題を解決するため、本発明のファンガード装置は、
一方向に配列された複数の線状部材と、
上記複数の線状部材に取り付けられ、上記線状部材同士の間隔を所定間隔に維持するスペーサと
を備え、
上記スペーサは、
上記線状部材の一方側に配置されると共に、上記線状部材の少なくとも一部と嵌合する凹部が所定間隔で形成された第１アーム部と、
上記線状部材の他方側に配置されると共に、上記線状部材の残りの部分が面する第２アーム部と
を有し、
上記第１アーム部の一端部に上記第２アーム部の一端部がヒンジ結合され、かつ、上記第１アーム部の他端部に上記第２アーム部の他端部が係止可能であることを特徴としている。
【００１１】
上記構成のファンガード装置によれば、上記スペーサを線状部材に取り付ける場合、まず、第１アーム部の凹部を線状部材に嵌合させた後、第１アーム部の一端部を中心に第２アーム部を回動させる。そうすると、上記第１アーム部が線状部材の一方側に位置し、かつ、第２アーム部が銅線の他方側に位置する状態になり、第２アーム部が線状部材の残りの部分に面する。
【００１２】
次に、上記第１アーム部の他端部に第２アーム部の他端部を係止すると、複数の線状部材が第１アーム部と第２アーム部とで挟持される。
【００１３】
このように、上記第１アーム部と第２アーム部が複数の線状部材を挟持している状態で、第１アーム部の一端部に第２アーム部の一端部がヒンジ結合され、かつ、第１アーム部の他端部に第２アーム部の他端部が係止されているので、線状部材に対する第１，第２アーム部の固定力は大きい。
【００１４】
したがって、上記第１，第２アーム部を有するスペーサは線状部材から外れ難く、線状部材からスペーサが抜け落ちるのを防ぐことができる。
【００１５】
また、上記第１アーム部の凹部に対する線状部材の嵌合と、第１アーム部の他端部に対する第２アーム部の他端部の係止とを行うだけで、複数の線状部材にスペーサを取り付けることができるので、スペーサの取り付けは容易である。
【００１６】
また、上記スペーサは線状部材から外れ難いので、線状部材同士の間隔が所定間隔より広がるのを防ぐ効果が高く、使用者の安全を確保できる。
【００１７】
一実施形態のファンガード装置では、上記線状部材は鋼線である。
【００１８】
上記実施形態のファンガード装置によれば、上記線状部材は鋼線であるから、スペーサの取り付け時に損傷し難い。
【００１９】
一実施形態のファンガード装置では、上記第１アーム部は屈曲した形状を有し、かつ、上記第２アーム部は上記第１アーム部に沿って屈曲した形状を有する。
【００２０】
上記実施形態のファンガード装置によれば、上記第１アーム部は屈曲した形状を有し、かつ、第２アーム部は第１アーム部に沿って屈曲した形状を有するので、第１，第２アーム部は複雑な形状で線状部材から抜け落ちることなく簡単に配置でき、ファンの下流側の大きな領域をガードできる。
【００２１】
本発明の空気調和機は、
ケーシングと、
上記ケーシング内に配置されたファンと、
上記ケーシング内に、上記ファンに向かう空気が通過するように配置された熱交換器と、
上記ファンの下流側に配置された本発明のファンガード装置と
を備えたことを特徴としている。
【００２２】
上記構成の空気調和機によれば、上記ファンガード装置は空気調和機に簡単、安価に組み付けることができる。
【発明の効果】
【００２３】
本発明のファンガード装置によれば、第１アーム部の一端部に第２アーム部の一端部がヒンジ結合され、かつ、第１アーム部の他端部に第２アーム部の他端部が係止可能であることによって、第１アーム部と第２アーム部とで複数の線状部材を強固に挟持できるので、線状部材からスペーサが抜け落ちるのを防ぐことができる。
【００２４】
また、上記第１アーム部の凹部に対する線状部材の嵌合と、第１アーム部の他端部に対する第２アーム部の他端部の係止とを行うだけで、複数の線状部材にスペーサを取り付けることができるので、スペーサの取り付けを簡単にすることができる。
【００２５】
また、上記スペーサは線状部材から外れ難いので、線状部材同士の間隔が所定間隔より広がるのを防ぐ効果が高く、使用者の安全性を向上させることができる。
【発明を実施するための最良の形態】
【００２６】
以下、本発明のファンガード装置を図示の実施の形態により詳細に説明する。
【００２７】
図１は、空気調和機の室内ユニット１を斜め下方から見た概略図である。図２は図１の一部を拡大した図である。
【００２８】
上記室内ユニット１は、図１に示すように、略長方形状の吹出口３を有するケーシング２と、吹出口３から吹き出す空気の風向を制御する風向羽根４とを備えている。上記吹出口３は、ケーシング２の一方の側面近傍から、ケーシング２の他方の側面近傍まで延びている。
【００２９】
上記吹出口３には、図２に示すように、ファンガード装置５が設置されている。これは、使用者が吹出口３からケーシング２内に手を入れるのを防いで、使用者の手がクロスフローファン１１（図３参照）に触れないようにするためである。
【００３０】
上記ファンガード装置５は、夫々が吹出口３の長手方向に平行となるように配列された複数の鋼線６，６，…と、この複数の鋼線６，６，…の一端部を支持する第１支持部材７と、その複数の鋼線６，６，…の他端部を支持する第２支持部材８と、鋼線６同士の間隔を所定間隔に維持するスペーサ９とを有している。なお、上記鋼線６は線状部材の一例である。
【００３１】
図３は上記室内ユニット１の模式断面図である。
【００３２】
上記ケーシング２内には、ファンの一例としてのクロスフローファン１１と、逆Ｊ字状の熱交換器１２とが設置されている。この熱交換器１２は、クロスフローファン１１の前方および上方に位置して、空気調和機用格子２からクロスフローファン１１へ向かう空気と熱交換する。
【００３３】
上記ファンガード装置５はクロスフローファン１１の下流側に配置されている。このファンガード装置５の下流側には風向羽根４が配置されている。
【００３４】
図４は、上記ファンガード装置５の構成を説明するための概略図である。なお、図４では、第１，第２支持部材７，８の構造を判り易くするため、第１支持部材７を鋼線６，６，…側から見た概略図を図中左側に示すと共に、第２支持部材８を鋼線６，６，…側から見た概略図を図中右側に示す。
【００３５】
上記第１支持部材７には、複数の第１取付部７１が所定間隔をあけて複数設けられている。また、上記第１支持部材７と同様に、第２支持部材８にも、複数の第２取付部８１が所定間隔をあけて複数設けられている。そして、上記第１，第２取付部７１，８１には挿入孔７２，８２が設けられている。
【００３６】
上記ファンガード装置５を組み立てる場合、第１取付部７１の各挿入孔７２に鋼線６の一端部を挿入し、かつ、第２取付部８１の各挿入孔８２に鋼線６の他端部を挿入する。
【００３７】
図５は、上記スペーサ９の取り付け前の状態を示す概略図である。また、図６は、上記スペーサ９の取り付け後の状態を示す概略図である。
【００３８】
上記スペーサ９は、図５，６に示すように、ポリプロピレン等の樹脂からなる第１，第２アーム部９１，９２を有している。
【００３９】
上記第１アーム部９１は屈曲した形状を有している。そして、上記第１アーム部９１の一端部は第２アーム部９２の一端部とヒンジ結合されている。一方、上記第１アーム部９１の他端部には貫通孔９３が設けられている。また、上記第１アーム部９１には、側方視で円弧状の凹部９４が所定間隔をあけて複数形成されている。
【００４０】
上記第２アーム部９２は第１アーム部９１に沿って屈曲した形状を有している。つまり、上記第２アーム部９２は第１アーム部９１と同様の形状となっている。そして、上記第２アーム部９２の他端部には、貫通孔９３に挿通されて第１アーム部９１の他端部に係止する爪部９５が設けられている。また、上記第２アーム部９２には、側方視で円弧状の凹部９６が所定間隔をあけて複数形成されている。
【００４１】
以下、上記スペーサ９を複数の鋼線６，６，…に取り付ける方法について説明する。
【００４２】
まず、上記スペーサ９を図５に示す状態にした後、第１アーム部９１の各凹部９４を鋼線６の一部に嵌合させる。このとき、上記第１アーム部９１は複数の鋼線６，６，…の一方側に位置する。
【００４３】
次に、上記第１アーム部９１の一端部を中心に第２アーム部９２を回動させて、図６に示すように、第２アーム部９２の各凹部９６を鋼線６，６，…の残りの部分に嵌合させる。そして、上記第２アーム部９２の爪部９５を第１アーム部９１の貫通孔９３に挿通する。これにより、上記爪部９５が第１アーム部９１の他端部に係止し、複数の鋼線６，６，…が第１アーム部９１と第２アーム部９２とで強固に挟持される。
【００４４】
その結果、上記鋼線６，６，…に対する第１，第２アーム部９１，９２の固定力が大きくなるので、第１，第２アーム部９１，９２を有するスペーサ９は鋼線６，６，…から外れ難く、複数の鋼線６，６，…からスペーサ９が抜け落ちるのを防ぐことができる。
【００４５】
また、上記複数の鋼線６，６，…に対するスペーサ９の取り付けは、上述したように、第１アーム部９１の各凹部９４に鋼線６を嵌合させ、かつ、第１アーム部９１の他端部に第２アーム部９２の爪部９５を係止させるだけだから簡単である。
【００４６】
また、上記スペーサ９は鋼線６から外れ難いので、鋼線６同士の間隔が所定間隔より広がるのを防ぐ効果が高く、使用者の安全を確保できる。
【００４７】
また、上記第１アーム部９１は屈曲した形状を有し、かつ、第２アーム部９２は第１アーム部９１に沿って屈曲した形状を有するので、第１，第２アーム部９２は複雑な形状で鋼線６から抜け落ちることなく簡単に配置でき、クロスフローファン１１の下流側の大きな領域をガードできる。
【００４８】
上記実施の形態では、スペーサ９は、凹部９４，９６が設けられた第１，第２アーム部９１，９２を有していたが、図７に示すように、凹部２９４が設けられた第１アーム部２９１と、凹部が設けられていない第２アーム部２９２とを有してもよい。このような第１，第２アーム部２９１，２９２を用いても、上記実施の形態と同様の作用効果が得られる。
【００４９】
また、上記第１アーム部２９１は第１アーム部９１と同様に屈曲した形状とし、かつ、
第２アーム部２９２は第２アーム部９２と同様に屈曲した形状としてもよい。
【００５０】
上記実施の形態では、複数の鋼線６，６，…の一端部を第１支持部材７で支持すると共に、複数の鋼線６，６，…の他端部を第２支持部材８で支持していたが、複数の鋼線６，６，…の両端部をスペーサ９で支持してもよい。つまり、上記第１，第２支持部材７，８の代わりにスペーサ９を用いてもよい。この場合、上記複数の鋼線６，６，…の両端部にスペーサ９を取り付けた後、このスペーサ９と複数の鋼線６，６，…の両端部とを熱圧着するのが好ましい。
【００５１】
上記実施の形態において、空気調和機の室内ユニット１内に、クロスフローファン４以外のファンを配置してもよい。
【００５２】
上記実施の形態において、鋼線６の代わりに、銅、アルミ、カーボン、ガラス繊維または硬質樹脂からなる線状部材を用いてもよい。
【図面の簡単な説明】
【００５３】
【図１】図１は空気調和機の室内ユニットの概略斜視図である。
【図２】図２は図１の要部の拡大図である。
【図３】図３は上記室内ユニットの模式断面図である。
【図４】図４は本発明の一実施の形態のファンガード装置の概略図である。
【図５】図５は上記スペーサの取り付け前の状態の概略図である。
【図６】図６は上記スペーサの取り付け後の状態を示す概略図である。
【図７】図７は上記スペーサの変形例の概略図である。
【図８】図８は従来のファンガード装置の図である。
【符号の説明】
【００５４】
１  室内ユニット
２  ケーシング
３  吹出口
４  風向羽根
５  ファンガード装置
６  鋼線
７  第１支持部材
８  第２支持部材
９  スペーサ
１１  ファン
１２  熱交換器
９１  第１アーム部
９２  第２アーム部
９３  貫通孔
９５  爪部
９４，９６，２９４  凹部
【要約】
【課題】線状部材からスペーサが抜け落ちるのを防ぐことができるファンガード装置およびそれを備えた空気調和機を提供する。
【解決手段】ファンガード装置は、一方向に配列された複数の鋼線と、複数の鋼線に取り付けられ、上記鋼線同士の間隔を所定間隔に維持するスペーサ９と備えている。スペーサ９は、鋼線の一方側に配置されると共に、鋼線の一部と嵌合する凹部９４が所定間隔で形成された第１アーム部９１と、鋼線の他方側に配置されると共に、鋼線の残りの部分と嵌合する凹部９６が所定間隔で形成された第２アーム部９２とを有する。第１アーム部９１の一端部は、第２アーム部９２の一端部とヒンジ結合されている。第１アーム部９１の他端部に第２アーム部９２の他端部の爪部９５が係止可能となっている。
【選択図】図５【図１】
0004285586.tif 000002
【図２】
0004285586.tif 000003
【図３】
0004285586.tif 000004
【図４】
0004285586.tif 000005
【図５】
0004285586.tif 000006
【図６】
0004285586.tif 000007
【図７】
0004285586.tif 000008
【図８】
0004285586.tif 000009